(57)【特許請求の範囲】
【請求項１】
複数の信号入力チャンネルにそれぞれ対応する各入力信号についての波形データに基づく測定結果を表示する表示部を備え、前記波形データを記録すると共に、複数の前記信号入力チャンネルの各々についての装置の動作条件を前記表示部に表示された１つの複数チャンネル動作条件設定用画面上で設定可能に構成された波形記録装置において、
動作条件設定対象の前記信号入力チャンネルを指定するためのチャンネル指定手段と、当該チャンネル指定手段によって前記信号入力チャンネルが指定されたときに、前記複数チャンネル動作条件設定用画面を表示させずに、当該指定された１つの信号入力チャンネルのみについての前記動作条件を設定するための指定チャンネル動作条件設定用画面を前記表示部に表示させる表示制御部とを備えていることを特徴とする波形記録装置。
【請求項２】
前記表示制御部は、前記指定チャンネル動作条件設定用画面を当該チャンネル指定の直前に表示されていた直前表示画面と共に前記表示部に表示させることを特徴とする請求項１記載の波形記録装置。
【請求項３】
前記表示制御部は、当該指定チャンネル動作条件設定用画面と前記直前表示画面とが互いに重なり合わないように前記表示部に表示させることを特徴とする請求項２記載の波形記録装置。
【請求項４】
前記表示制御部は、前記指定チャンネル動作条件設定用画面を表示させる際に、前記直前表示画面における前記指定された１つの信号入力チャンネルに対応する測定結果を他の信号入力チャンネルに対応する測定結果とは異なる表示色で表示させることを特徴とする請求項２または３記載の波形記録装置。
【請求項５】
前記表示制御部は、前記指定チャンネル動作条件設定用画面を表示させる際に、前記指定された１つの信号入力チャンネルのみに対応する測定結果を前記直前表示画面に表示させることを特徴とする請求項２または３記載の波形記録装置。
【請求項６】
前記チャンネル指定手段は、前記信号入力チャンネルを数値で指定するためのテンキーを備えて構成されていることを特徴とする請求項１から５のいずれかに記載の波形記録装置。
【請求項７】
当該テンキーは、前記動作条件を設定する際の数値入力手段としても機能することを特徴とする請求項６記載の波形記録装置。
【請求項８】
前記チャンネル指定手段によって指定された前記１つの信号入力チャンネルを表示すると共に前記テンキーが前記数値入力手段として機能する際に前記信号入力チャンネルを非表示に制御されると共に前記表示部とは別体に構成されたチャンネル表示部を操作部に備えていることを特徴とする請求項７記載の波形記録装置。
【請求項９】
前記表示制御部は、前記動作条件を設定するための操作手段以外の所定の操作手段が操作されたときに前記指定チャンネル動作条件設定用画面を非表示にさせることを特徴とする請求項１から８のいずれかに記載の波形記録装置。
【請求項１０】
前記チャンネル指定手段によって直前に指定された前記１つの信号入力チャンネルを記憶する記憶手段を備え、前記表示制御部は、前記指定チャンネル動作条件設定用画面を非表示にさせているときであって前記チャンネル指定手段以外の所定の操作手段が操作された際に、前記記憶手段に記憶されている前記１つの信号入力チャンネルについての前記指定チャンネル動作条件設定用画面を表示させることを特徴とする請求項１から９のいずれかに記載の波形記録装置。
【発明の詳細な説明】
【０００１】
【発明の属する技術分野】
本発明は、キー操作などによって装置の動作条件を入力信号チャンネル毎に設定可能に構成された波形記録装置に関するものである。
【０００２】
【従来の技術】
この種の波形記録装置として、出願人は図６に示す波形記録装置４０を既に開発している。波形記録装置４０は、４チャンネルの信号入力チャンネルを介してそれぞれ入力した記録対象信号についての信号波形データを記録したり、記録対象信号についての信号波形を印刷したりすることができ、その際には、表示条件や測定条件および印刷条件などの装置の動作条件を各信号入力チャンネル毎に設定することができるように構成されている。具体的には、波形記録装置４０は、動作条件を設定するための複数のキーなどが配設された操作部４１と、動作条件を設定するための動作条件設定用画面や記録対象信号の信号波形を表示する波形表示用画面などを表示するための表示部３とを備えている。
【０００３】
操作部４１には、ファンクションキー部４、カーソル移動キー部５、ＣＨキー６、ＳＹＳＴＥＭキー７、ＤＩＳＰキー８、ジョグ１５、入力キー部４２、ＳＨＩＦＴキー４３およびＣＨ．ＳＥＴキー４４などが配設されている。ここで、ファンクションキー部４は、装置の動作状態に応じて様々な機能が自動的に割り当てられるキー４ａ〜４ｅを備えている。カーソル移動キー部５は、表示部３に表示されるカーソル２０（図７参照）を上下左右に移動させるためのキー５ａ〜５ｄを備えている。ＣＨキー６は、動作条件を設定するための動作条件設定用画面を表示部３に表示させる機能を有している。ＳＹＳＴＥＭキー７は、表示部３に表示させる複数種類の動作条件設定用画面を順次切り替えて表示させる表示画面切替キーとして機能する。ＤＩＳＰキー８は、表示部３の表示画面を動作条件設定用画面から波形表示用画面に切り替えるための表示画面切替キーとして機能する。ジョグ１５は、動作条件などを設定する際の数値設定用ダイヤルとして機能する。また、入力キー部４２は、キー４２ａ〜４２ｐを備えており、これらのキー４２ａ〜４２ｐは、常態では、表示部３における表示レンジを各チャンネル毎に設定するための表示レンジ設定キーとして機能し、ＳＨＩＦＴキー４３が操作されたときには、数字の「１」〜「０」、並びに記号の「＋」、「−」、「．」および「Ｅ」を指定するための数値等入力キーとして機能する。ＳＨＩＦＴキー４３は、入力キー部４２の各キー４２ａ〜４２ｐの表示レンジ設定キー機能と数値等入力キー機能とを切り替える機能を有している。
【０００４】
この波形記録装置４０では、図外の電源スイッチが投入されると、初期画面として波形表示用画面５１が表示部３に表示される。この際に、図外の測定用プローブを介してチャンネル１〜４（以下、チャンネルを「ｃｈ」ともいう）から記録対象信号をそれぞれ入力することにより、波形表示用画面５１には、同図に示すように、各ｃｈにそれぞれ対応する信号波形Ｗ１〜Ｗ４が表示される。この場合、例えば、ｃｈ３に対応する信号波形Ｗ３を表示部３に表示する際の表示スケール１div 当たりの電圧レベルである表示レンジを変更するときには、まず、ＣＨキー６を操作することにより、図７に示すように、各ｃｈについての装置の表示条件を設定するための表示条件設定用画面５２を表示部３に表示させる。この際には、同図に示すように、カーソル２０が、ｃｈ１についての「レンジ」の部位に表示される。また、ファンクションキー部４の各キー４ａ，４ｂに対してレンジのアップ機能およびダウン機能がそれぞれ割り当てられると共に、割り当てられた機能を示す矢印表示２５ａ，２５ｂが各キー４ａ，４ｂに対応してそれぞれ表示部３に表示される。
【０００５】
次いで、カーソル移動キー部５のキー５ｂを２回操作することにより、カーソル２０をｃｈ３についてのレンジの表示部位に移動させる。次に、ファンクションキー部４のキー４ａ，４ｂを操作して所定のステップ値でアップまたはダウンさせることによりｃｈ３についてのレンジを変更する。なお、ｃｈ３に対応するキー４２ｅまたは４２ｆを操作することによってアップまたはダウンさせてｃｈ３のレンジを変更することもでき、カーソル２０をｃｈ３についてのレンジの表示部位に移動させた状態でジョグ１５を回転操作することによってもレンジを変更することができる。
【０００６】
また、表示レンジを設定する際には、ファンクションキー部４のキー４ａ，４ｂおよびジョグ１５による数値のアップダウンに代えて、入力キー部４２のキー４２ａ〜４２ｎを数値等入力キー機能に変更することにより、キー４２ａ〜４２ｎを用いて目的の数値を直接入力することもできる。具体的には、カーソル移動キー部５の各キーを操作することにより、数値を入力すべき表示位置にカーソル２０を移動させる。次いで、ＳＨＩＦＴキー４３を操作することにより、入力キー部４２の各キー４２ａ〜４２ｎを数値等入力キー機能に変更する。この際に、各キー４２ａ〜４２ｎには、数値の「０」〜「９」、並びに記号の「＋」、「−」、「．」および「Ｅ」が割り当てられる。この後、各キー４２ａ〜４２ｎを操作することにより、数値等を直接入力することができる。
【０００７】
さらに、表示部３に波形表示用画面５１を表示させている状態で、表示条件を設定することもできる。具体的には、図６に示すように表示部３に波形表示用画面５１が表示されている状態においてＣＨ．ＳＥＴキー４４を操作すると、図８に示すように、波形表示用画面５１と表示条件設定用画面５２とが重ね合わされて表示部３に表示される。したがって、測定者は、波形表示用画面５１上の信号波形Ｗ３を確認しながら、ｃｈ３についての表示条件を設定することができる。
【０００８】
【発明が解決しようとする課題】
ところが、出願人が既に開発している波形記録装置４０には以下のような改善すべき点がある。
第１に、波形記録装置４０では、各ｃｈについての表示レンジなどの動作条件を設定または変更する際には、上記したように、カーソル移動キー部５の各キー５ａ〜５ｄを用いて、目的とするｃｈの部位にカーソル２０を移動させた後に表示条件を設定する。しかし、この方法では、目的とするｃｈの位置までカーソル２０を移動させるためには、カーソル移動キー部５の各キー５ａ〜５ｄを何度も操作する必要がある。このため、この方法には、数多くの信号入力ｃｈを設けたときには、カーソル移動キー部５のキー操作が煩雑であると共に動作条件の迅速な設定が困難であるという課題がある。
【０００９】
第２に、この波形記録装置４０では、複数のｃｈに予め対応させた専用のキー４２ａ〜４２ｐを用いてｃｈを指定することなく表示条件を設定することもできる。しかし、この方法では、複数のｃｈにキー４２ａ〜４２ｐを予め対応させる必要があるため、ｃｈ数が少ないときには、特に問題がないが、数多くの信号入力ｃｈを設けるときには、各ｃｈに対応させて数多くの専用キーを操作部４１に配設しなければならない。このため、操作部４１のスペースを広くする必要がある結果、装置が大型化すると共に、誤操作を招くことがあるという課題がある。
【００１０】
第３に、この波形記録装置４０では、波形表示用画面５１と表示条件設定用画面５２とを重ね合わせて表示部３に表示させ、波形表示用画面５１上の信号波形Ｗ３を確認しながら、目的とするｃｈについての表示条件を設定することができるという利点がある。一方、その際に、表示条件設定用画面５２の数値と波形表示用画面５１の信号波形とが重ね合わされているため、数値および信号波形の両者を識別しにくいことがあるという課題もある。
【００１１】
第４に、表示条件を設定する際の数値入力についても、この波形記録装置４０では、ファンクションキー部４のキー４ａ，４ｂやジョグ１５を用いて所定のステップ値でアップまたはダウンさせることによって入力しているため、迅速な数値入力が困難であると共に任意の数値に設定することが困難になることもあるという課題もある。なお、入力キー部４２を数値等入力キーとして用いた際には、任意の数値を迅速に設定することも可能ではあるが、入力キー部４２が数値等入力キーとして機能しているのか、または表示レンジ設定キーとして機能しているのかを直感的に理解しにくいという課題もある。
【００１２】
本発明は、かかる改善点に鑑みてなされたものであり、各信号入力チャンネルについての装置の動作条件を容易かつ迅速にしかも正確に設定することが可能な波形記録装置を提供することを主目的とする。また、動作条件を設定する際に測定結果を見易く表示する波形記録装置を提供することなどを他の目的とする。
【００１３】
【課題を解決するための手段】
上記目的を達成すべく請求項１記載の波形記録装置は、複数の信号入力チャンネルにそれぞれ対応する各入力信号についての波形データに基づく測定結果を表示する表示部を備え、複数の信号入力チャンネルの各々についての装置の動作条件を表示部に表示された１つの複数チャンネル動作条件設定用画面上で設定可能に構成された波形記録装置において、波形データを記録すると共に、動作条件設定対象の信号入力チャンネルを指定するためのチャンネル指定手段と、チャンネル指定手段によって信号入力チャンネルが指定されたときに、複数チャンネル動作条件設定用画面を表示させずに、指定された１つの信号入力チャンネルのみについての動作条件を設定するための指定チャンネル動作条件設定用画面を表示部に表示させる表示制御部とを備えていることを特徴とする。
【００１４】
この波形記録装置では、信号入力ｃｈ毎の動作条件を設定する際には、チャンネル指定手段によって信号入力ｃｈを指定すれば、指定された１つの信号入力ｃｈについての動作条件を専用的に設定するための指定チャンネル動作条件設定用画面が表示部に表示される。したがって、キーなどを何度も操作することなく、その信号入力ｃｈについての動作条件を直ちに設定することが可能となる。特に、信号入力ｃｈが数多く設けられているときには、信号入力ｃｈを直接的に指定することができるため、迅速かつ容易に、しかも確実に信号入力ｃｈを指定することができる結果、装置の動作条件を迅速かつ容易に、しかも正確に設定することが可能となる。
【００１５】
請求項２記載の波形記録装置は、請求項１記載の波形記録装置において、表示制御部は、指定チャンネル動作条件設定用画面をチャンネル指定の直前に表示されていた直前表示画面と共に表示部に表示させることを特徴とする。
【００１６】
この波形記録装置では、指定チャンネル動作条件設定用画面を直前表示画面と共に表示する。このため、測定者は、直前表示画面の表示内容を参考にしつつ、動作条件を設定することができる。この場合、指定チャンネル動作条件設定用画面は、指定された１つのｃｈのみの動作条件を専用的に設定するためのものであるため、複数またはすべてのｃｈについての動作条件を設定可能にした波形記録装置４０における動作条件設定用画面５２とは異なり、僅かな表示面積でよい。したがって、例えば、直前表示画面に信号波形などの測定結果を表示している際には、表示されている信号波形と重なり合う面積を少なくすることが可能となる。
【００１７】
請求項３記載の波形記録装置は、請求項２記載の波形記録装置において、表示制御部は、指定チャンネル動作条件設定用画面と直前表示画面とが互いに重なり合わないように表示部に表示させることを特徴とする。
【００１８】
指定チャンネル動作条件設定用画面を僅かな面積で表示できるため、この波形記録装置では、指定チャンネル動作条件設定用画面と直前表示画面とを互いに重なり合わないようにして表示部に表示させる。このため、直前表示画面に表示されている信号波形や測定値などの測定結果を確認しつつ、その表示条件などの動作条件を設定する際には、動作条件の設定内容に応じて振幅値などが変化する信号波形や測定値を極めて容易に識別できるため、正確かつ容易に所望の動作条件に設定することが可能となる。
【００１９】
請求項４記載の波形記録装置は、請求項２または３記載の波形記録装置において、表示制御部は、指定チャンネル動作条件設定用画面を表示させる際に、直前表示画面における指定された１つの信号入力チャンネルに対応する測定結果を他の信号入力チャンネルに対応する測定結果とは異なる表示色で表示させることを特徴とする。
【００２０】
請求項５記載の波形記録装置は、請求項２または３記載の波形記録装置において、表示制御部は、指定チャンネル動作条件設定用画面を表示させる際に、指定された１つの信号入力チャンネルのみに対応する測定結果を直前表示画面に表示させることを特徴とする。
【００２１】
指定された１つの信号入力ｃｈの測定結果を他の信号入力ｃｈの測定結果から識別できる限り、その識別方法は任意の方式を採用することができる。請求項４，５記載の波形記録装置では、指定された１つの信号入力ｃｈの測定結果を他の信号入力ｃｈの測定結果とは異なる表示色で表示したり、他の信号入力ｃｈの測定結果を非表示にしたりする（つまり、指定された１つの信号入力チャンネルのみに対応する測定結果を直前表示画面に表示させる）。したがって、測定者は、他の信号入力ｃｈに対応する測定結果から容易に識別して、指定した信号入力ｃｈの測定結果を極めて容易に確認することが可能となる。この結果、信号波形などの測定結果を確認しながら表示条件などを設定するときには、その設定内容に応じて変化する信号波形などを容易に識別できるため、より確実かつ容易に所望の表示条件に設定することが可能となる。
【００２２】
請求項６記載の波形記録装置は、請求項１から５のいずれかに記載の波形記録装置において、チャンネル指定手段は、信号入力チャンネルを数値で指定するためのテンキーを備えて構成されていることを特徴とする。
【００２３】
信号入力ｃｈを指定する手段としては、専用キーなどを設けることも可能であるが、そのためのスペースを必要とする結果、装置の大型化を招くことになる。この波形記録装置では、テンキーによって信号入力ｃｈを指定できるため、数多くの信号入力ｃｈを設ける場合でも、その信号ｃｈ数に対応させた多くの専用キーを設ける必要がなく、０〜９までの数値を入力できる構成であればよい。したがって、装置の大型化を招くことなく、チャンネル指定手段を構成することが可能となる。
【００２４】
請求項７記載の波形記録装置は、請求項６記載の波形記録装置において、テンキーは、動作条件を設定する際の数値入力手段としても機能することを特徴とする。
【００２５】
この波形記録装置では、テンキーが動作条件を設定する際の信号入力チャンネル指定手段と数値入力手段とを兼用する。このため、テンキーを用いて信号入力ｃｈを指定した後に、テンキーを用いて数値を入力することにより、動作条件としての数値を迅速かつ容易に設定することが可能になる。
【００２６】
請求項８記載の波形記録装置は、請求項７記載の波形記録装置において、チャンネル指定手段によって指定された１つの信号入力チャンネルを表示すると共にテンキーが数値入力手段として機能する際に信号入力チャンネルを非表示に制御されると共に表示部とは別体に構成されたチャンネル表示部を操作部に備えていることを特徴とする。
【００２７】
この波形記録装置では、信号入力ｃｈの指定時には、チャンネル表示部が、チャンネル指定手段によって指定された１つの信号入力ｃｈを表示する。このため、信号入力ｃｈが正しく設定されたか否かを容易に確認することができる。また、テンキーが数値入力手段として機能する際には、チャンネル表示部は信号入力ｃｈを非表示に制御される。このため、テンキーがチャンネル指定手段として機能しているのか、数値入力手段として機能しているのかを容易に理解することが可能となる。
【００２８】
請求項９記載の波形記録装置は、請求項１から８のいずれかに記載の波形記録装置において、表示制御部は、動作条件を設定するための操作手段以外の所定の操作手段が操作されたときに指定チャンネル動作条件設定用画面を非表示にさせることを特徴とする。
【００２９】
この波形記録装置では、指定チャンネル動作条件設定用画面が表示されている場合に、動作条件を設定するための操作手段以外の操作手段が操作されたときには、動作条件の設定を終了したものとして、表示制御手段は、指定チャンネル動作条件設定用画面を非表示に制御する。この場合、動作条件を設定するための手段以外の他の操作手段が、指定チャンネル動作条件設定用画面を非表示にさせるための操作手段を兼用する。したがって、部品コストを低減することが可能となる。
【００３０】
請求項１０記載の波形記録装置は、請求項１から９のいずれかに記載の波形記録装置において、チャンネル指定手段によって直前に指定された１つの信号入力チャンネルを記憶する記憶手段を備え、表示制御部は、指定チャンネル動作条件設定用画面を非表示にさせているときであってチャンネル指定手段以外の所定の操作手段が操作された際に、記憶手段に記憶されている信号入力チャンネルについての指定チャンネル動作条件設定用画面を表示させることを特徴とする。
【００３１】
この波形記録装置では、一旦設定した動作条件を再設定する場合には、チャンネル指定手段以外の所定の操作手段を操作すれば、表示制御手段が、記憶手段に記憶されている直前に表示した信号入力チャンネルについての指定チャンネル動作条件設定用画面を表示させる。この場合、信号入力チャンネルの指定を再度し直す場合と比較して、所望する指定チャンネル動作条件設定用画面を直ちに表示させることができるため、動作条件をさらに迅速に設定することが可能となる。また、同時に、チャンネル指定手段以外の所定の操作手段が、指定チャンネル動作条件設定用画面を再表示させるための操作手段を兼用するため、部品コストを低減することが可能となる。
【００３２】
【発明の実施の形態】
以下、添付図面を参照して、本発明に係る波形記録装置の実施の形態について説明する。なお、出願人が既に開発している波形記録装置４０と同一の構成要素については同一の符号を付して重複した説明を省略する。
【００３３】
図５は、波形記録装置１の電気的構成のブロック図を示している。この波形記録装置１は、３２ｃｈの信号入力ｃｈからそれぞれ入力した記録対象信号についての波形データを記録したり、その信号波形を印刷したりすることができるように構成されている。具体的には、波形記録装置１は、同図に示すように、操作部２、表示部３、入力信号処理部２１、ＣＰＵ２２、ＲＯＭ２３、ＲＡＭ２４、ＦＤドライブ１６、ＭＯドライブ１７、プリンタ１８およびインターフェース部１９を備えて構成されている。
【００３４】
操作部２は、図１に示すように、出願人が既に開発している波形記録装置４０の各キーと同様の機能をそれぞれ有するファンクションキー部４、カーソル移動キー部５、ＣＨキー６、ＳＹＳＴＥＭキー７、ＤＩＳＰキー８およびジョグ１５を備えるほか、本発明におけるチャンネル指定手段およびテンキーに相当するテンキー部９、並びにＴＥＮＫＥＹキー１４を備えている。
【００３５】
テンキー部９には、同図に示すように、数値の「０」〜「９」を指定するための数値キー部１０、確定キー１１、チャンネル表示部１２、アップダウンキー部１３が配設されている。数値キー部１０は、「０」〜「９」がそれぞれ表示された１０個のキーによって構成され、通常時には、ｃｈを指定するためのｃｈ指定キーとして機能し、ＴＥＮＫＥＹキー１４が操作された際には、数字の「０」〜「９」を入力するための数値入力キーとして機能する。確定キー１１は、数値キー部１０がｃｈ指定キーとして用いられるときには、数値キー部１０の各キーによって入力されたｃｈを確定させると共に、数値キー部１０が数値入力キーとして用いられるときには、入力された数値を確定させるＥＮＴＥＲキーとして機能する。チャンネル表示部１２は、本発明におけるチャンネル表示部に相当し、数値キー部１０の各キーによって入力され確定キー１１によって確定されたｃｈを数値で表示する。アップダウンキー部１３は、４つのキー１３ａ〜１３ｄによって構成されており、各キー１３ａ〜１３ｄは、数値キー部１０が数値入力キーとして機能する際には、記号の「−」、「＋」、「．」および「Ｅ」を入力するための記号入力キーとして機能し、数値キー部１０がｃｈ指定キーとして機能する際には、表示部３に表示する信号波形の表示位置（POSITION）や表示レンジ（RANGE ）を設定するためのキーとして機能する。
【００３６】
入力信号処理部２１は、記録対象信号ＳINを増幅または減衰させるためのレンジアンプを内蔵し、そのレンジアンプによって増幅または減衰させた記録対象信号ＳINを波形データＤS に変換してＣＰＵ２２出力する。ＣＰＵ２２は、入力した波形データＤS に基づく信号波形（本発明における測定結果に相当する）や表示条件設定用画面などを表示部３に表示させるための表示制御および設定された動作条件に基づく各部の制御などを実行する。ＲＯＭ２３は、ＣＰＵ２２の動作プログラムなどを記憶し、ＲＡＭ２４は、本発明における記憶手段に相当し、指定されたｃｈ番号やＣＰＵ２２の演算結果などを一時的に記憶する。ＦＤドライブ１６およびＭＯドライブ１７は、挿入されたフロッピディスクまたはＭＯディスクに波形データなどを保存する。プリンタ１８は、入力された記録対象信号ＳINに対応する波形信号などを印刷する。インターフェース部１９は、装着される通信基板を介して図外のパーソナルコンピュータに波形データなどを出力したりパーソナルコンピュータから各種のデータを入力したりする。
【００３７】
この波形記録装置１では、電源スイッチが投入されると、初期画面としての波形表示用画面２７が表示部３に表示され、図外の測定用プローブを介して記録対象信号ＳINを入力することにより、表示部３には、例えば、図１に示すように、ｃｈ２５〜ｃｈ２９にそれぞれ対応する記録対象信号ＳINの信号波形Ｗ２５〜２９が表示される。この際、例えば、ｃｈ２８の表示レンジを変更するには、まず、ＣＨキー６を操作することにより、各ｃｈについての表示条件を設定するための表示条件設定用画面（本発明における「複数チャンネル動作条件設定用画面」に相当する）２６を表示部３に表示させる。なお、この際には、ｃｈ１〜ｃｈ８までの８つのｃｈの表示条件を設定可能な表示条件設定用画面２６（図示せず）が表示され、かつ最初のｃｈであるｃｈ１の「レンジ」の部位にカーソル２０が自動的に表示される。また、ファンクションキー部４の各キー４ａ，４ｂには、表示レンジのアップ機能およびダウン機能がそれぞれ割り当てられると共に、割り当てられた機能を示す矢印表示２５ａ，２５ｂが各キー４ａ，４ｂに対応してそれぞれ表示部３に表示される。
【００３８】
ここで、表示条件の設定対象であるｃｈ２８を指定するには、まず、テンキー部９の「２」のキーおよび「８」のキーを順に操作することにより、図２に示すように、チャンネル表示部１２に数値「２８」を表示させる。この場合、入力したｃｈの数値がチャンネル表示部１２に表示されるため、ｃｈを正しく入力したか否かを容易に確認することができる。次に、確定キー１１を操作することにより、チャンネル表示部１２に表示されている「２８」を確定させる。これにより、表示部３には、同図に示すように、ｃｈ２５〜３２についての表示レンジや信号波形の表示位置を設定するための表示条件設定用画面２６が表示されると共に、カーソル２０がｃｈ２８についての表示レンジを示す位置に自動的に表示される。
【００３９】
次いで、ｃｈ２８についての表示レンジを例えば「５ｍＶ」に設定する場合には、ＴＥＮＫＥＹ１４を操作することにより、ＣＰＵ２２が、チャンネル表示部１２のｃｈ表示を消灯させると共に、数値キー部１０に対して数値入力キーとしての機能を割り当てる。この場合、チャンネル表示部１２のｃｈ表示が非表示になるため、測定者は、テンキー部９がチャンネル指定キーとして機能しているのか、数値入力キーとして機能しているのかを容易に視認することができる。次に、数値キー部１０の各キーおよびアップダウンキー部１３の各キーを順に操作して数値を入力する。具体的には、キー１３ｂ、「５」のキー、キー１３ｃ，「０」のキー、キー１３ｄ，１３ａおよび「３」のキーを順に操作して表示条件設定用画面２６におけるカーソル２０の表示位置に、数値「＋５．０Ｅ−３」を表示させる。次いで、確定キー１１を操作することにより、入力した数値が確定して、カーソル２０の表示位置に対応するｃｈ２８の表示レンジが、「５０ｍＶ」に代えて、「５ｍＶ」と表示される。
【００４０】
この後、ＤＩＳＰキー８を操作すると、ＣＰＵ２２は、表示条件設定用画面２６から信号波形表示用画面２７に切り替えると共に、信号波形Ｗ２８についての信号波形表示用画面２７の縦軸における表示スケールの１DIV 当たりの電圧レベルを５ｍＶに設定すると共に、その表示レンジに合致するように信号波形Ｗ２８を表示する。なお、この波形記録装置１では、図２の表示条件設定用画面２６に示すレンジの値（例えば５ｍＶ）に倍率（例えば値１）を乗算した値（例えば５ｍＶ）が、縦軸の１div 当たりの実際の表示スケールとなる。
【００４１】
一方、信号波形２８を確認しつつ表示条件を設定したい場合には、図１に示すように波形表示用画面２７が表示部３に表示されている状態において、テンキー部９を用いて、表示条件の設定を希望するｃｈを指定する。例えば、ｃｈ２８についての表示レンジを上記の例と同様にして「５０ｍＶ」から「５ｍＶ」に設定するときには、波形表示用画面２７を表示させている状態で、テンキー部９の「２」のキー、「８」のキーおよび確定キー１１を順に操作する。これにより、ＣＰＵ２２は、指定されたｃｈ番号をＲＡＭ２４に記憶させると共に、図３に示すように、本発明における指定チャンネル動作条件設定用画面に相当するダイレクト入力用画面２８を、直前に表示させていた波形表示用画面２７に重なり合わないようにして、表示部３内における波形表示用画面２７の右横に表示させる。このダイレクト入力用画面２８は、指定されたｃｈのみに対応する表示条件を設定するためのものであって、その画面内には、設定された信号波形の表示色と同色に表示される表示色指定部２９と、設定されたレンジ値を表示するレンジ値表示部３０と、信号波形の振幅電圧に対する０Ｖを波形表示用画面２７における縦軸（最下端を０％とし、最上端を１００％とする）の何％の位置に対応させるかを示すゼロ位置表示部３１とが表示される。したがって、このダイレクト入力用画面２８を用いることにより、各ｃｈの表示条件を設定するまでに各種のキーを何度となく操作する必要がある波形記録装置４０とは異なり、ｃｈ２８の表示条件を直ちに設定することができる。
【００４２】
ダイレクト入力用画面２８が表示されると、ＣＰＵ２２は、同図に示すように、指定されたｃｈ２８に対応する信号波形Ｗ２８のみを波形表示用画面２７に表示させ、他のｃｈに対応する信号波形Ｗ２５〜Ｗ２７，Ｗ２９については非表示に制御する。この場合、他のｃｈに対応する信号波形を表示したままの状態にして、指定されたｃｈ２８の信号波形Ｗ２８を他の信号波形の表示色とは相違し、かつ目立ち易い表示色（例えば、他の信号波形が白色の場合には赤色など）で表示してもよい。これにより、表示条件設定対象ｃｈの信号波形を容易に識別することができる。次いで、ダイレクト入力用画面２８を用いてレンジを変更する。この場合、アップダウンキー部１３のキー１３ｃまたは数値キー部１０を操作することにより、レンジ値を値「５０」から値「５」に変更する。この状態では、図４に示すように、元の表示波形を縦軸方向に１０倍拡大した信号波形Ｗ２８が波形表示用画面２７に表示される。この際に、表示条件の設定値に応じて信号波形Ｗ２８が瞬時に変化するため、表示条件設定値の適否を確認することができる結果、表示条件を容易かつ正確に設定することができる。
【００４３】
次いで、操作部２における動作条件を設定するための操作手段、例えば、数値キー部１０、カーソル移動キー部５およびアップダウンキー部１３以外の任意の各種キー（例えば、ファンクションキー部４のキー４ａ〜４ｅ）を操作することにより、ダイレクト入力用画面２８が非表示にさせられると共に元の直前の表示画面のみが表示される。この場合、ＲＡＭ２４には、直前に指定されたｃｈ番号が記録されているため、ｃｈ指定のための操作手段としてのテンキー部９以外の操作手段、例えばアップダウンキー部１３のいずれかのキー１３ａ〜１３ｄが操作されると、ＣＰＵ２２は、直前に指定されたｃｈについてのダイレクト入力用画面２８を再度表示させる。なお、表示色を変更するときには、カーソル移動キー部５の各キーを用いて表示色を設定することができ、ゼロ位置を変更するときには、アップダウンキー部１３のキー１３ａ，１３ｂを用いて所望の設定値に設定することができる。
【００４４】
このように、この波形記録装置１によれば、テンキー部９の各キーによって指定されたｃｈに対応するダイレクト入力用画面２８を用いることにより、指定されたｃｈについての表示条件を迅速かつ容易に設定することができる。また、テンキー部９を数値入力キーとして用いることにより、極めて容易に設定値を入力することができる。なお、この波形記録装置１では、出願人が既に開発している波形記録装置４０と同様にして、ファンクションキー部４のキー４ａ，４ｂやジョグ１５を操作することにより、各種の設定値を入力することもできる。
【００４５】
なお、本発明は、上記した発明の実施の形態に限定されない。例えば、本発明の実施の形態では、ダイレクト入力用画面２８を波形表示用画面２７の右横に表示させているが、その表示位置、設定内容および表示方法は適宜変更することができる。また、本実施の形態では操作部２内にテンキー部９を配設しているが、テンキー部９を波形記録装置１とは別体に形成してケーブルで接続して使用するように構成してもよい。また、本発明の実施の形態では、本発明におけるテンキーに相当するテンキー部９に対し、ＴＥＮＫＥＹキー１４が操作されたときに数値入力キーとして機能させるように構成したが、本発明は、これに限定されず、ｃｈの指定を確定したときに自動的に数値入力キーとして自動的に機能させるように構成することもできる。
【００４６】
さらに、本発明の実施の形態では、動作条件として表示レンジを設定する例について説明したが、本発明は、これに限定されず、測定条件や印刷条件など各種の動作条件を設定する際に、適用することができる。また、本発明のチャンネル表示部は、本発明の実施の形態では、表示部３と別個独立させているが、指定されたｃｈを表示部３に表示させることもできる。ただし、本発明の実施の形態で示したように、チャンネル表示部１２と数値キー部１０とを互いに隣接させた場合には、ｃｈの表示と他の信号波形などとを、測定者に対して、明確に区別させることができる。
【００４７】
【発明の効果】
以上のように、請求項１記載の波形記録装置によれば、チャンネル指定手段によって指定された１つの信号入力ｃｈについての指定チャンネル動作条件設定用画面を表示部に表示することにより、装置の動作条件を迅速かつ容易に、しかも正確に設定することができる。
【００４８】
また、請求項２記載の波形記録装置によれば、表示制御部が指定チャンネル動作条件設定用画面をチャンネル指定の直前に表示されていた直前表示画面と共に表示部に表示させることにより、直前表示画面の表示内容を参考にしつつ、動作条件を設定することができる。
【００４９】
さらに、請求項３記載の波形記録装置によれば、表示制御部が指定チャンネル動作条件設定用画面と直前表示画面とが互いに重なり合わないようにして表示部に表示させることにより、動作条件の設定内容に応じて振幅値などが変化する直前表示画面としての信号波形等を極めて容易に識別できるため、正確かつ容易に所望の動作条件に設定することができる。
【００５０】
また、請求項４，５記載の波形記録装置によれば、指定された１つの信号入力ｃｈの測定結果を他の信号入力ｃｈの測定結果とは異なる表示色で表示したり、他の信号入力ｃｈの測定結果を非表示にしたりする（つまり、指定された１つの信号入力チャンネルのみに対応する測定結果を直前表示画面に表示させる）ことにより、測定者は、他の信号入力ｃｈに対応する測定結果から容易に識別して、指定した信号入力ｃｈの測定結果を極めて容易に確認することができる。この結果、信号波形などの測定結果を確認しながら表示条件などを設定するときには、その設定内容に応じて変化する信号波形などを容易に識別できるため、より確実かつ容易に所望の表示条件に設定することが可能となる。
【００５１】
さらに、請求項６記載の波形記録装置によれば、チャンネル指定手段が信号入力チャンネルを数値で指定するためのテンキーを備えて構成されていることにより、数多くの信号入力ｃｈを設ける場合でも、０〜９までの数値を入力できる構成であればよいため、装置の大型化を招くことなく、チャンネル指定手段を構成することができる。
【００５２】
また、請求項７記載の波形記録装置によれば、テンキーに対して動作条件を設定する際の数値入力手段としても機能させることにより、テンキーを用いて信号入力ｃｈを指定した後に、テンキーを用いて数値を入力することができ、これにより、動作条件としての数値を迅速かつ容易に設定することができる。
【００５３】
また、請求項８記載の波形記録装置によれば、チャンネル指定手段によって指定された１つの信号入力チャンネルを表示すると共にテンキーが数値入力手段として機能する際に信号入力チャンネルを非表示に制御されるチャンネル表示部を備えたことにより、テンキーがチャンネル指定手段として機能しているのか、数値入力手段として機能しているのかを容易に理解することができる。
【００５４】
さらに、請求項９記載の波形記録装置によれば、動作条件を設定するための操作手段以外の所定の操作手段が操作されたときに指定チャンネル動作条件設定用画面を非表示にさせることにより、部品コストを低減することができる。
【００５５】
また、請求項１０記載の波形記録装置によれば、チャンネル指定手段以外の所定の操作手段が操作された際に指定チャンネル動作条件設定用画面を再表示させることにより、動作条件をさらに迅速に設定することができると共に部品コストを低減することができる。
【図面の簡単な説明】
【図１】  本発明の実施の形態に係る波形記録装置１の表示部３に波形表示用画面２７が表示されているときの正面図である。
【図２】  本発明の実施の形態に係る波形記録装置１の表示部３に表示条件設定用画面２６が表示されているときの正面図である。
【図３】  本発明の実施の形態に係る波形記録装置１の表示部３に波形表示用画面２７およびダイレクト入力用画面２８が表示されているときの正面図である。
【図４】  波形表示用画面２７およびダイレクト入力用画面２８が表示部３に表示されているときの波形記録装置１の一部の正面図である。
【図５】  本発明の実施の形態に係る波形記録装置１の電気的構成を示すブロック図である。
【図６】  出願人が既に開発している波形記録装置４０の表示部３に波形表示用画面５１が表示されているときの正面図である。
【図７】  表示条件設定用画面５２が表示部３に表示されているときの波形記録装置４０の一部の正面図である。
【図８】  波形表示用画面５１および表示条件設定用画面５２が表示部３に重ね合わされて表示されているときの波形記録装置４０の一部の正面図である。
【符号の説明】
１  波形記録装置
２  操作部
３  表示部
４  ファンクションキー部
９  テンキー部
１０  数値キー部
１２  チャンネル表示部
１３  アップダウンキー部
２２  ＣＰＵ
２６  表示条件設定用画面
２７  波形表示用画面
２８  ダイレクト入力用画面
【図１】
0004084881.tif 000002
【図２】
0004084881.tif 000003
【図３】
0004084881.tif 000004
【図４】
0004084881.tif 000005
【図５】
0004084881.tif 000006
【図６】
0004084881.tif 000007
【図７】
0004084881.tif 000008
【図８】
0004084881.tif 000009